(57)【特許請求の範囲】
【請求項１】
１つの口金から一方向に複数本突出した給電用のランプピンを有したランプを照明器具に取付可能なランプソケット装置であって、前記ランプピンが電気的に接続される接触子を有したソケット本体と、前記ランプピンを前記ランプピンに交差する方向に案内する案内スリットを有し前記ソケット本体を支持する支持部と、前記照明器具の器具本体に対して前記支持部を前記案内スリットの幅方向に移動可能に固定する固定部とを備え、前記固定部には前記案内スリットの幅方向に長く案内スリット長手方向に貫通した貫通長穴が開口し、前記貫通長穴の深さよりも長い円筒状のスペーサが前記貫通長穴内に挿入されて、固定ねじが前記スペーサを通して前記固定部を前記器具本体のねじ止用穴に締着され、前記固定部が前記器具本体に対して前記案内スリットの幅方向に移動可能に固定されていることを特徴とするランプソケット装置。
【請求項２】
前記器具本体に開口している引掛け穴に挿入され先端部位が前記器具本体の固定部が位置固定される面と反対側の面と当設する引掛け部を前記固定部に備えることを特徴とする請求項１記載のランプソケット装置。
【請求項３】
前記器具本体に対する前記固定部の回転移動を規制する回転規制ボスと前記ボスが挿入される回転規制長穴との一方を前記器具本体に備えており、他方を前記固定部に備えることを特徴とする請求項１又は請求項２に記載のランプソケット装置。
【請求項４】
前記固定部は、前記器具本体に突設された回転規制壁に当接する当接部を有し、前記固定部の前記器具本体に対する回転移動を規制することを特徴とする請求項１又は請求項２の記載にランプソケット装置。
【請求項５】
前記スペーサは四角柱状であって前記器具本体に一体に設けられ、前記貫通長穴は前記スペーサの外形に対応して矩形状に開口していることを特徴とする請求項１記載のランプソケット装置。
【請求項６】
請求項１〜５のいずれか１項に記載のランプソケット装置を前記器具本体に備えることを特徴とする照明器具。
【発明の詳細な説明】
【技術分野】
【０００１】
本発明は、照明器具へのランプの取り付けに用いられるランプソケット装置及び照明器具に関するものである。
【背景技術】
【０００２】
従来から、照明器具の器具本体に対してランプを回転させることなく着脱可能にすることにより、口金の中心軸が同一直線上にないランプでも取付可能にしたランプソケット装置が提案されている（特許文献１参照）。
【０００３】
図９に口金２４の中心軸が同一直線上にないランプ４の一例を示している。ランプ４は、バルブ２５の長手方向の両端部に一対の口金２４を有し、各口金２４はバルブ２５の長手方向に沿った一平面を挟んで互いに反対側に配置されている。各口金２４からはそれぞれ一対のランプピン７が突出している。図示例では、便宜的にバルブ２５を直線的に記載しているが、例えば、両口金２４をそれぞれ外側端とする２つのインボリュートの内側端同士を結合した形状を採用してもよい。バルブ２５は両口金２４の間において適宜の形状に形成することが可能である。
【０００４】
特許文献１３は、上述した形状のランプ４を照明器具２６の器具本体６に取付可能とするランプソケット３が記載されている。ランプソケット３は、一対の接触子８（図１０参照）を有したソケット本体９を支持する支持部１と、支持部１を器具本体６に固定する固定部５とを備える。
【０００５】
以下では、図１０（ａ）に従って上下方向を規定し、また図１０（ａ）における正面を前面として説明する。
【０００６】
支持部１は、前後方向を口軸方向とする略円筒状に形成され、内側にソケット本体９を収納することによりソケット本体９を支持する。支持部１の周壁上部には、周方向に沿って操作窓２７が開口している。支持部１の前壁には、上下方向に沿って延長されかつ上方に開放された案内スリット２が前壁の厚み方向に貫設されている。
【０００７】
固定部５は、支持部１の外周面下部に一体に設けられ、器具本体６にランプソケット３を結合する。結合様式は後述する。
【０００８】
ソケット本体９は、支持部１の前後方向に沿った中心軸の周りで回転自在であり、ソケット本体９の外周面上部には支持部１の操作窓２７から突出する操作レバー１１が設けられている。操作レバー１１は操作窓２７に挿通される。そのため、操作レバー１１は移動範囲が操作窓２７の周方向の両端により規制され、結果的に、ソケット本体９の回転範囲が規制される。
【０００９】
また、ソケット本体９の周壁には、操作レバー１１の側方及び前方に開放された導入口２８が形成されている。ソケット本体９は回転可能であるから、導入口２８が案内スリット２と前後方向に重なる位置と、導入口２８が案内スリット２と前後方向に重ならない位置との間で移動可能である。すなわち、案内スリット２及び導入口２８の幅をランプピン７の直径よりも広くすることにより、ランプピン７を着脱可能な位置（図９（ａ）参照、以下、「自由位置」という）と、ランプピン７を着脱不可能な位置（図９（ｂ）参照、以下、「拘束位置」という）との間で回転する。
【００１０】
ソケット本体９内部には一対の接触子８が配置される。両接触子８は、自由位置では案内スリット２の幅方向に対向している。両接触子８の間隔は、ランプピン７の直径よりは広く、一対のランプピン７の間隔よりは狭くなるように取り付けられている。
【００１１】
図１１は、ランプピン７の基部から先端に向かう向きに見たときのソケット本体９の内部のランプピン７と接触子８の関係を示しており、ソケット本体９は、図１１（ａ）の自由位置から図１１（ｂ）に示すように時計回りである矢印Ａ方向に回転させることで、図１１（ｃ）に示す拘束位置まで移動する。
【００１２】
自由位置では、一対のランプピン７と対応する各々の接触子８とランプピン７とは非接触状態にあり、電気的には接続されていない。
【００１３】
拘束位置では、一対のランプピン７と対応する各々の接触子８とランプピン７とは接触状態になり、電気的に接続される。
【００１４】
ところで、バルブ２５は、長手方向に寸法の誤差が生じやすい。そのため、図９に示す形状のランプ４では、口金２４の中心軸に直交する方向において両口金２４の間隔にばらつきが生じる可能性がある。
【００１５】
そのため、特許文献１では、図１０に示すように支持部１が案内スリット２の幅方向に移動可能となるランプソケット装置が開示されている。
【００１６】
すなわち照明器具２６の器具本体６に設けた一対の位置決め片２９を用いてランプソケット３の固定部５を器具本体６に取り付ける構成を採用している。位置決め片２９は、器具本体６に固定される固定片２９ａと、固定片２９ａの一辺に連続し器具本体６から離れる向きに立設され先端部が器具本体６の表面に沿って固定片２９ａとは反対の向きに延長された係止片２９ｂとを有する。一対の位置決め片２９は、前記係止片２９ｂの先端同士を対向させる形で配設される。
【００１７】
一方、ランプソケット３は、固定部５における案内スリット２の幅方向の両側面に、それぞれ前後方向に延長された保持溝３０が形成されている。そして、各保持溝３０内にそれぞれ位置決め片２９における係止片２９ｂの先端部が挿入されることにより、器具本体６に保持される。
【００１８】
この構造により、係止片２９ｂの先端縁と保持溝３０の底面との間には図１０（ａ）のようにクリアランス３１が形成される。このクリアランス３１を確保することにより、支持部１がクリアランス３１の範囲内で、案内スリット２の幅方向に移動可能となる。これにより口金２４の中心軸に直交する方向での両口金２４の間隔の誤差を吸収することができるようになる。
【先行技術文献】
【特許文献】
【００１９】
【特許文献１】特開２００８−２０４９３２号公報（第１９頁、図１３）
【発明の概要】
【発明が解決しようとする課題】
【００２０】
しかし、図１０に示すランプソケット装置では、支持部１を器具本体６に対して案内スリット２の幅方向に移動可能に取り付けるために、一対の位置決め片２９が必要である。したがって、両位置決め片２９の位置関係によりクリアランス３１の幅が変化する。この構造では、案内スリット２の幅方向においてクリアランス３１を確保するため、位置決め片２９の取り付けには精確な取付精度が要求される。
【００２１】
また、ランプソケット３が位置決め片１５から前後方向へ脱落するのを防ぐために、ランプソケット３を位置決め片２９に取り付けた後に後工程が必要となる。すなわち、器具本体６の取付面の切り起こし、又は抜け止め用部位の追加などが必要である。
【００２２】
このように、図１０に示すランプソケット３を用いた場合、器具本体６にランプソケット３を取り付ける工程と抜け止め防止用の後工程との２段階の工程が必要になる。
【００２３】
本発明は上記事由に鑑みて為されたものであって、ランプソケットを器具本体に対して案内スリットの幅方向に移動可能としながらも後加工の必要ないランプソケット装置及び照明器具を提供することを目的とする。
【課題を解決するための手段】
【００２４】
本発明のランプソケット装置は、１つの口金から一方向に複数本突出した給電用のランプピンを有したランプを照明器具に取付可能であって、ランプピンが電気的に接続される接触子を有したソケット本体と、ランプピンをランプピンに交差する方向に案内する案内スリットを有しソケット本体を支持する支持部と、照明器具の器具本体に対して支持部を案内スリットの幅方向に移動可能に固定する固定部とを備え、固定部には案内スリットの幅方向に長く案内スリット長手方向に貫通した貫通長穴が開口し、貫通長穴の深さよりも長い円筒状のスペーサが貫通長穴内に挿入されて、固定ねじがスペーサを通して固定部を器具本体のねじ止用穴に締着され、固定部が前記器具本体に対して案内スリットの幅方向に移動可能に固定されていることを特徴とする。
【００２５】
このランプソケット装置において、器具本体に開口している引掛け穴に挿入され先端部位が器具本体の固定部が位置固定される面と反対側の面と当設する引掛け部を固定部に備えることがより好ましい。
【００２６】
このランプソケット装置において、器具本体に対する固定部の回転移動を規制する回転規制ボスとボスが挿入される回転規制長穴との一方を器具本体に備えており、他方を固定部に備えることがより好ましい。
【００２７】
このランプソケット装置において、器具本体に突起物を備えており、固定部には突起物に当たる面があり、固定部の器具本体に対する回転方向の移動を規制することがより好ましい。
【００２８】
このランプソケット装置において、スペーサは四角柱状であって器具本体に一体に設けられ、貫通長穴は前記スペーサの外形に対応して矩形状に開口していることがより好ましい。
【００２９】
本発明の照明器具は、上記いずれかのランプソケット装置を器具本体に備えることを特徴とする。
【発明の効果】
【００３０】
本発明は、ランプソケットを器具本体に対して案内スリットの幅方向に移動可能としながらもランプソケットの抜け止め防止用の後加工が必要ないという利点がある。
【図面の簡単な説明】
【００３１】
【図１】実施形態１を示し、（ａ）は案内スリット側からの分解斜視図、（ｂ）は電線挿入孔側からの分解斜視図である。
【図２】（ａ）は同上の案内スリット側からの斜視図、（ｂ）は同上の電線挿入孔側からの斜視図である。
【図３】同上のねじ取付台を示す要部平面図である。
【図４】同上の側面図である。
【図５】同上の要部断面図である。
【図６】同上の動作説明図である。
【図７】実施形態２を示し、（ａ）は電線挿入孔側からの分解斜視図、（ｂ）は案内スリット側からの分解斜視図である。
【図８】実施形態３のランプソケットを取り付ける手順を示す斜視図である。
【図９】（ａ）はランプソケット装置からランプを取り外した状態の斜視図、（ｂ）はランプソケット装置にランプを取り付けた状態の斜視図である。
【図１０】従来のランプソケット装置を示し、（ａ）は正面図、（ｂ）は斜視図である。
【図１１】ランプソケットの動作説明図である。
【発明を実施するための形態】
【００３２】
（実施形態１）
以下では、図２の上下方向を上下方向とし、支持部１において案内スリット２を設けた面を前面として説明する。
【００３３】
本実施形態のランプソケット３は、図２に示すように、ランプ４（図９参照）が装着される支持部１と、支持部１の外周面の下部に形成される固定部５とを一体に備える。ランプソケット３は固定部５により器具本体６に取り付けられる。器具本体６において、ランプソケット３を取り付ける部位は板状に形成されている。
【００３４】
支持部１の内部には、ランプピン７（図９参照）に電気的に接続される接触子８を有したソケット本体９が収納されている。支持部１及びソケット本体９は背景技術として説明したランプソケット３と同様の構成を有している。支持部１の後壁には、接触子８に接続される電線を挿通させるための一対の電線挿入孔１０が貫設されている。各電線挿入孔１０を通してソケット本体９内に導入される電線は、接触子８に電気的に接続されている連結端子に結合される。
【００３５】
ソケット本体９は、支持部１内で回転させるための操作レバー１１を有する。ランプピン７を案内スリット２に差し込んだ状態で、当該操作レバー１１を用いてソケット本体９を回転させることにより、ランプピン７の電気的な接続と非接続の状態を切り替えることができる。
【００３６】
その他、背景技術において説明した構成と同構成である箇所については同符号を付して説明を省略する。
【００３７】
ところで、本実施形態では、図１に示すように、固定部５は、支持部１の下部から前後方向及び左右方向に広がりながら下方に伸びる形状を有する。固定部５の下面後方の左右いずれか一端部には、一定の厚さを有したねじ取付台１２が一体に形成されている。ねじ取付台１２には、左右方向に長い長穴である貫通長穴１３（図３参照）が、ねじ取付台１２を上下方向に貫通する形で設けられている。
【００３８】
また、固定部５には、引掛け部１４が突設される。引掛け部１４は、固定部５の下面前縁から下向きに突出する挿通片１４ａと、挿通片１４ａの下端から固定部５の下面に沿って前方に延長された引掛け片１４ｂとを一体に備える。引掛け部１４の断面はＬ字状になる。さらに、固定部５は、下面の後端部から下向きに突出した回転規制ボス１５を有する。
【００３９】
一方、器具本体６には、ねじ止用穴１６と回転規制長穴１７とが開口している。ねじ止用穴１６には、固定ねじ１８を締着することができる。固定ねじ１８とねじ止用穴１６の例としては、固定ねじ１８がタッピンねじであり、ねじ止用穴１６が当該タッピンねじに対応した下穴である構成が挙げられる。他には、固定ねじ１８がボルトであり、ねじ止用穴１６がナットを用いて固定ねじ１８を締着する構成でもよい。
【００４０】
また、回転規制長穴１７は左右方向に長い長穴である。回転規制長穴１７の前後方向の幅は回転規制ボス１５の直径の大きさと等しく、左右方向の幅は回転規制ボス１５の直径よりも大きい。そのため、回転規制ボス１５は回転規制長穴１７内で左右方向に移動可能である。
【００４１】
器具本体６の前方には、引掛け穴１９が開口している。引掛け穴１９は矩形状の貫通穴であり、引掛け穴１９の左右方向の幅は引掛け部１４の左右方向の幅よりも大きい。そのため、引掛け部１４は引掛け穴１９内で左右方向に移動可能である。
【００４２】
器具本体６に開口しているねじ止用穴１６と回転規制長穴１７と引掛け穴１９の位置関係は、固定部５のそれぞれに対応した部位を同時に結合可能な配置になっている。
【００４３】
次に、本実施形態のランプソケット３の器具本体６への取り付け方と機能について説明する。
【００４４】
まず、挿通片１４ａを引掛け穴１９に挿通した状態で、回転規制ボス１５を回転規制長穴１７に挿入する。これにより固定部５が器具本体６上に位置固定され、引掛け片１４ｂの上面が器具本体６の下面に面するように位置することになる（図４参照）。当該状態での引掛け片１４ｂは、器具本体６の下面の存在により上方向へは移動できない。この引掛け部１４の移動規制により、固定部５はランプソケット３の後方への荷重に対して、ランプソケット３の浮き上がりを防止できる。
【００４５】
固定ねじ１８による固定部５の固定には、座金２０と円筒状のスペーサ２１を用いる。スペーサ２１の外径は貫通長穴１３の前後方向の幅と等しく、スペーサ２１の長さは貫通長穴１３の深さよりも大きい。まず、貫通長穴１３内にスペーサ２１を挿入する。そして、座金２０を通した固定ねじ１８を上方からスペーサ２１内に通し、器具本体６のねじ止用穴１６に締着する。これによりランプソケット３が器具本体６に固定されることになる。
【００４６】
図５に示すように、固定ねじ１８とねじ止用穴１６の締着に貫通長穴１３の深さよりも大きいスペーサ２１を用いているので、固定ねじ１８の締付力を受けるのはスペーサ２１と器具本体６のみである。そのため、固定部５は締付力を受けず、ランプソケット３は移動自由である。しかし、回転規制ボス１５と回転規制長穴１７の結合により、固定ねじ１８を中心とした回転方向への移動は規制されている。そのため、固定部５は貫通長穴１３の左右方向への移動のみが可能となる。
【００４７】
本実施例の構成では、スペーサ２１が貫通長穴１３の右端面に接触もしくは回転規制ボス１５が回転規制長穴１７の左端面に接触する状態まで左方向へ移動可能である（図６（ａ）参照）。そして、スペーサ２１が貫通長穴１３の左端面に接触もしくは回転規制ボス１５が回転規制長穴１７の右端面に接触する状態まで右方向へ移動可能である（図６（ｃ）参照）。また、図６（ｂ）の状態はいずれの端面にも接触しておらず、左右両方向に移動可能であるので、固定部５は図６（ａ）から図６（ｃ）間で移動可能であり、支持部１も、固定部５の移動可能の範囲内で、左右方向に移動可能である。
【００４８】
なお、上述したランプソケット３と照明器具７の構成は一例であって、たとえば締着に用いた固定ねじ１８と座金２０とスペーサ２１に代えて、これらが一体となったスペーサ付きねじを用いてもよい。また、固定部５に回転規制長穴１７を開口し、器具本体６に回転規制ボス１５を設ける構造でもよい。
【００４９】
（実施形態２）
実施形態１においては、固定部５の下面の回転規制ボス１５と器具本体６の回転規制長穴１７の結合は、固定ねじ１８を中心とした回転方向への移動規制の手段としての機能を有していた。
【００５０】
本実施形態のランプソケット３は、図７に示すように、回転規制ボス１５と回転規制長穴１７に代えて、器具本体６が回転規制壁２２を有している点が、実施形態１のランプソケット３と相違する。
【００５１】
回転規制壁２２は、器具本体６の上面に突設されている。回転規制壁２２は、器具本体６へ固定時の固定部５の後面に沿って位置する。回転規制壁２２が固定部５の後面下部に当接することにより、ランプソケット３の回転移動を規制する。
【００５２】
回転規制壁２２の実現方法としては、器具本体６の対応箇所の切り起こしを行ってもよい。また、器具本体６の該当箇所にリブを追加してもよい。
【００５３】
その他の構成および機能は実施形態１を同様である。
【００５４】
（実施形態３）
実施形態１では、スペーサ２１は器具本体６とは別体であるが、本実施形態では、スペーサは器具本体６と一体に形成される。本実施形態で用いられるスペーサを実施形態１のスペーサ２１と区別するために固定スペーサ片２３と呼ぶ。
【００５５】
本実施形態では、貫通長穴１３は、左右方向に長い矩形状の長穴である。貫通長穴１３の前後方向の幅は固定スペーサ片２３の前後方向の長さと一致し、貫通長穴１３の左右方向の幅は固定スペーサ片２３の左右方向の長さよりも大きい。
【００５６】
固定スペーサ片２３は、器具本体６から上方向に突出した四角柱である。そして、固定スペーサ片２３の上面には、固定ねじ１８を締着する穴が開口している。固定スペーサ片２３の上下方向の長さは貫通長穴１３の深さよりも大きい。また、固定スペーサ片２３は器具本体６と一体となっているので、固定スペーサ片２３は器具本体６に対して移動や回転をしない構造となっている。
【００５７】
図８に示すように、ランプソケット３と器具本体６の固定は、貫通長穴１３と固定スペーサ片２３によってなされる。まず、貫通長穴１３と固定スペーサ片２３の位置と方向を合わせ、貫通長穴１３内に固定スペーサ片２３を挿通する。これにより、ランプソケット３を器具本体６上に位置固定され、ランプソケット３の回転方向と前後方向の移動は規制される。
【００５８】
この状態で、座金２０を通した固定ねじ１８を上方から固定スペーサ片２３内に通し締着することにより、ランプソケット３が器具本体６に固定される。固定スペーサ片２３の上下方向の長さが貫通長穴１３の深さよりも大きいので、固定ねじ１８の締付力受けるのは固定スペーサ片２３のみである。そのため、固定部５は締付力を受けず、固定部５は左右方向に移動可能である。
【００５９】
その結果、ランプソケット３の浮き上がりを防止していた引掛け部１４と引掛け穴１９、および固定ねじ１８を中心とした回転方向への移動規制していた回転規制ボス１５と回転規制長穴１７が不要となる。
【００６０】
その他の構成および機能は実施形態１と同様である。
【符号の説明】
【００６１】
１  支持部
２  案内スリット
４  ランプ
５  固定部
６  器具本体
７  ランプピン
８  接触子
９  ソケット本体
１３  貫通長穴
１４  引掛け部
１５  回転規制ボス
１６  ねじ止用穴
１７  回転規制長穴
１８  固定ねじ
１９  引掛け穴
２１  スペーサ
２２  回転規制壁
２３  固定スペーサ片
２４  口金
２６  照明器具
【図１】
0005416646.tif 000002
【図２】
0005416646.tif 000003
【図３】
0005416646.tif 000004
【図４】
0005416646.tif 000005
【図５】
0005416646.tif 000006
【図６】
0005416646.tif 000007
【図７】
0005416646.tif 000008
【図８】
0005416646.tif 000009
【図９】
0005416646.tif 000010
【図１０】
0005416646.tif 000011
【図１１】
0005416646.tif 000012